(57)【要約】  【課題】ユーザに対する個別広告を可能としつつ、第三者の利益取得を防止するコンテンツ情報提供システムの提供  【解決手段】コンテンツ情報提供可否判断手段ｍ７０３は、第２のコンテンツ要求情報が有するテレビ受像装置特定情報及び通信端末特定情報に基づいて、コンテンツ情報の提供の可否を判断する。コンテンツ情報獲得手段ｍ７０５は、第２のコンテンツ要求情報が有するコンテンツ特定情報に基づいて、対応する前記コンテンツ情報を獲得する。コンテンツ情報提供手段ｍ７０７は、コンテンツ情報の提供が可能である場合に、対応するコンテンツ情報を前記テレビ受像装置へ提供する。これにより、通信端末のユーザが所定のテレビ受像装置を用いた場合に、コンテンツ情報を提供をすることができる。また、コンテンツ情報はテレビ受像装置に表示するので、高画質・高詳細なコンテンツ情報を提供することができる。【選択図】    図１
2008028925.tif 000002
【特許請求の範囲】
【請求項１】
通信端末、前記通信端末とデータの送受信が可能なテレビ受像装置、及び、前記テレビ受像装置とデータの送受信が可能なコンテンツ情報提供装置、を有するコンテンツ情報提供システムにおいて、
前記通信端末は、
自らを一意に特定する通信端末特定情報を記憶する通信端末特定情報記憶手段、
前記コンテンツ情報提供装置に接続するための接続情報及びコンテンツ情報を特定するコンテンツ特定情報を有するコンテンツ提供情報を獲得するコンテンツ提供情報獲得手段、
前記接続情報、前記コンテンツ特定情報、及び前記通信端末特定情報を第１のコンテンツ要求情報として、赤外線通信機能を介して前記テレビ受像装置へ提供する第１のコンテンツ要求情報提供手段、
を有し、
前記テレビ受像装置は、
自らを一意に特定するテレビ受像装置特定情報を記憶するテレビ受像装置特定情報記憶手段、
前記第１のコンテンツ要求情報を赤外線通信機能を介して獲得する第１のコンテンツ要求情報獲得手段、
前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、
前記コンテンツ情報を獲得するコンテンツ情報獲得手段、
獲得した前記コンテンツ情報を表示するコンテンツ情報表示手段、
を有し、
前記コンテンツ情報提供装置は、
前記第２のコンテンツ要求情報を獲得する第２のコンテンツ情報要求情報獲得手段、
前記第２のコンテンツ要求情報が有する前記テレビ受像装置特定情報及び前記通信端末特定情報に基づいて、前記コンテンツ情報の提供の可否を判断するコンテンツ情報提供可否判断手段、
前記第２のコンテンツ要求情報が有する前記コンテンツ特定情報に基づいて、対応する前記コンテンツ情報を獲得するコンテンツ情報獲得手段、
前記コンテンツ情報の提供が可能である場合に、対応する前記コンテンツ情報を前記テレビ受像装置へ提供するコンテンツ情報提供手段、
を有すること、
を特徴とするコンテンツ情報提供システム。
【請求項２】
テレビ受像装置とデータの送受信が可能なコンテンツ情報提供装置であって、
前記コンテンツ情報提供装置は、
前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得する第２のコンテンツ情報要求情報獲得手段、
前記第２のコンテンツ要求情報が有する前記テレビ受像装置特定情報及び前記通信端末特定情報に基づいて、前記コンテンツ情報の提供の可否を判断するコンテンツ情報提供可否判断手段、
前記第２のコンテンツ要求情報が有する前記コンテンツ特定情報に基づいて、対応する前記コンテンツ情報を獲得するコンテンツ情報獲得手段、
前記コンテンツ情報の提供が可能である場合に、対応する前記コンテンツ情報を前記テレビ受像装置へ提供するコンテンツ情報提供手段、
を有すること、
を特徴とするコンテンツ情報提供装置。
【請求項３】
テレビ受像装置とデータの送受信が可能なコンテンツ情報提供装置であって、
前記コンテンツ情報提供装置は、
前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得する第２のコンテンツ情報要求情報獲得手段、
前記第２のコンテンツ要求情報が有する前記テレビ受像装置特定情報及び前記通信端末特定情報に基づいて、前記コンテンツ情報の提供の可否を判断するコンテンツ情報提供可否判断手段、
前記コンテンツ情報の提供が可能である場合に、前記第２のコンテンツ要求情報が有する前記コンテンツ特定情報に基づいて、対応する前記コンテンツ情報の表示を許可する許可情報を前記テレビ受像装置へ提供するコンテンツ情報提供手段、
を有すること、
を特徴とするコンテンツ情報提供装置。
【請求項４】
請求項２又は請求項３に係るコンテンツ情報提供装置のいずれかにおいて、
前記コンテンツ情報提供可否判断手段は、
前記第２のコンテンツ要求情報が有する前記テレビ受像装置特定情報及び前記通信端末特定情報が、前記コンテンツ情報の提供が可能な前記テレビ受像装置と前記通信端末とが関連付けられている認証端末テーブルに登録されているか否かを判断することによって、前記コンテンツ情報の提供の可否を判断すること、
を特徴とするコンテンツ情報提供装置。
【請求項５】
通信端末とデータの送受信が可能なテレビ受像装置であって、
前記テレビ受像装置は、
自らを一意に特定するテレビ受像装置特定情報を記憶するテレビ受像装置特定情報記憶手段、
コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得する第１のコンテンツ要求情報獲得手段、
前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、
前記コンテンツ情報を獲得するコンテンツ情報獲得手段、
獲得した前記コンテンツ情報を表示するコンテンツ情報表示手段、
を有すること、
を特徴とするテレビ受像装置。
【請求項６】
通信端末とデータの送受信が可能なテレビ受像装置であって、
前記テレビ受像装置は、
自らを一意に特定するテレビ受像装置特定情報を記憶するテレビ受像装置特定情報記憶手段、
コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得する第１のコンテンツ要求情報獲得手段、
前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、
前記コンテンツ情報を獲得するコンテンツ情報獲得手段、
前記コンテンツ情報の表示を許可する許可情報を獲得する許可情報獲得手段、
前記許可情報に基づいて、前記コンテンツ情報を表示するコンテンツ情報表示手段、
を有すること、
【請求項７】
請求項５又は請求項６に係るテレビ受像装置のいずれかにおいて、
前記第１のコンテンツ要求情報獲得手段は、赤外線通信機能を介して、前記第１のコンテンツ要求情報を獲得すること、
を特徴とするテレビ受像装置。
【請求項８】
コンピュータを、テレビ受像装置とデータの送受信が可能なコンテンツ情報提供装置として機能させるためのコンテンツ情報提供プログラムであって、
前記コンテンツ情報提供プログラムは、前記コンピュータを、
前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得する第２のコンテンツ情報要求情報獲得手段、
前記第２のコンテンツ要求情報が有する前記テレビ受像装置特定情報及び前記通信端末特定情報に基づいて、前記コンテンツ情報の提供の可否を判断するコンテンツ情報提供可否判断手段、
前記第２のコンテンツ要求情報が有する前記コンテンツ特定情報に基づいて、対応する前記コンテンツ情報を獲得するコンテンツ情報獲得手段、
前記コンテンツ情報の提供が可能である場合に、対応する前記コンテンツ情報を前記テレビ受像装置へ提供するコンテンツ情報提供手段、
として機能させること、
を特徴とするコンテンツ情報提供プログラム。
【請求項９】
コンピュータを、テレビ受像装置とデータの送受信が可能なコンテンツ情報提供装置として機能させるためのコンテンツ情報提供プログラムであって、
前記コンテンツ情報提供プログラムは、前記コンピュータを、
前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得する第２のコンテンツ情報要求情報獲得手段、
前記第２のコンテンツ要求情報が有する前記テレビ受像装置特定情報及び前記通信端末特定情報に基づいて、前記コンテンツ情報の提供の可否を判断するコンテンツ情報提供可否判断手段、
前記コンテンツ情報の提供が可能である場合に、前記第２のコンテンツ要求情報が有する前記コンテンツ特定情報に基づいて、対応する前記コンテンツ情報の表示を許可する許可情報を前記テレビ受像装置へ提供するコンテンツ情報提供手段、
として機能させること、
を特徴とするコンテンツ情報提供プログラム。
【請求項１０】
請求項８又は請求項９に係るコンテンツ情報提供プログラムのいずれかにおいて、
前記コンテンツ情報提供プログラムは、前記コンピュータを、
前記コンテンツ情報提供可否判断手段が、
前記第２のコンテンツ要求情報が有する前記テレビ受像装置特定情報及び前記通信端末特定情報が、前記コンテンツ情報の提供が可能な前記テレビ受像装置と前記通信端末とが関連付けられている認証端末テーブルに登録されているか否かを判断することによって、前記コンテンツ情報の提供の可否を判断するもの、
として機能させること、
を特徴とするコンテンツ情報提供プログラム。
【請求項１１】
テレビ受像装置を、通信端末から要求されたコンテンツ情報を獲得し、表示するためのテレビ受像装置として機能させるコンテンツ情報表示プログラムであって、
前記コンテンツ情報表示プログラムは、前記テレビ受像装置を、
自らを一意に特定するテレビ受像装置特定情報を記憶するテレビ受像装置特定情報記憶手段、
コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得する第１のコンテンツ要求情報獲得手段、
前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、
前記コンテンツ情報を獲得するコンテンツ情報獲得手段、
獲得した前記コンテンツ情報を表示するコンテンツ情報表示手段、
として機能させること、
を特徴とするコンテンツ情報表示プログラム。
【請求項１２】
テレビ受像装置を、通信端末から要求されたコンテンツ情報を獲得し、表示するためのテレビ受像装置として機能させるコンテンツ情報表示プログラムであって、
前記コンテンツ情報表示プログラムは、前記テレビ受像装置を、
自らを一意に特定するテレビ受像装置特定情報を記憶するテレビ受像装置特定情報記憶手段、
コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得する第１のコンテンツ要求情報獲得手段、
前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、
前記コンテンツ情報を獲得するコンテンツ情報獲得手段、
前記コンテンツ情報の表示を許可する許可情報を獲得する許可情報獲得手段、
前記許可情報に基づいて、前記コンテンツ情報を表示するコンテンツ情報表示手段、
として機能させること、
を特徴とするコンテンツ情報表示プログラム。
【請求項１３】
コンピュータを用いて、テレビ受像装置に対してコンテンツ情報を提供するコンテンツ情報提供方法であって、
前記コンピュータが、前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得し、
前記コンピュータが、前記第２のコンテンツ要求情報が有する前記テレビ受像装置特定情報及び前記通信端末特定情報に基づいて、前記コンテンツ情報の提供の可否を判断し、
前記コンピュータが、前記第２のコンテンツ要求情報が有する前記コンテンツ特定情報に基づいて、対応する前記コンテンツ情報を獲得し、
前記コンピュータが、前記コンテンツ情報の提供が可能である場合に、対応する前記コンテンツ情報を前記テレビ受像装置へ提供すること、
を特徴とするコンテンツ情報提供方法。
【請求項１４】
コンピュータを用いて、テレビ受像装置に対してコンテンツ情報を提供するコンテンツ情報提供方法であって、
前記コンピュータが、前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得し、
前記コンピュータが、前記第２のコンテンツ要求情報が有する前記テレビ受像装置特定情報及び前記通信端末特定情報に基づいて、前記コンテンツ情報の提供の可否を判断し、
前記コンピュータが、前記コンテンツ情報の提供が可能である場合に、前記第２のコンテンツ要求情報が有する前記コンテンツ特定情報に基づいて、対応する前記コンテンツ情報の表示を許可する許可情報を前記テレビ受像装置へ提供すること、
を特徴とするコンテンツ情報提供方法。
【請求項１５】
テレビ受像装置を用いて、通信端末から要求されたコンテンツ情報を獲得し、表示するコンテンツ情報表示方法であって、
前記テレビ受像装置は、自らを一意に特定するテレビ受像装置特定情報を記憶し、
前記テレビ受像装置は、コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得し、
前記テレビ受像装置は、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供し、
前記テレビ受像装置は、前記コンテンツ情報を獲得し、
前記テレビ受像装置は、獲得した前記コンテンツ情報を表示すること、
を特徴とするコンテンツ情報表示方法。
【請求項１６】
テレビ受像装置を用いて、通信端末から要求されたコンテンツ情報を獲得し、表示するコンテンツ情報表示方法であって、
前記テレビ受像装置は、自らを一意に特定するテレビ受像装置特定情報を記憶し、
前記テレビ受像装置は、コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得し、
前記テレビ受像装置は、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供し、
前記テレビ受像装置は、前記コンテンツ情報を獲得し、
前記テレビ受像装置は、前記コンテンツ情報の表示を許可する許可情報を獲得し、
前記テレビ受像装置は、前記許可情報に基づいて、前記コンテンツ情報を表示すること、
を特徴とするコンテンツ情報表示方法。
【発明の詳細な説明】
【技術分野】
【０００１】
本発明は、コンテンツ情報を提供するコンテンツ情報提供システムであって、特に、ユーザに対する個別広告を可能としつつ、第三者の利益取得を防止するものに関する。
【背景技術】
【０００２】
従来のコンテンツ情報提供システムについて図１６を用いて説明する。コンテンツ情報提供システム１００は、携帯電話１０１、サーバ１０２、データベース１０３（ＤＢ１０３）、デジタルテレビ受信機１１１、及び店舗端末１１２を有している。デジタルテレビ受信機１１１は、携帯電話１０１のユーザが所有するデジタルテレビ受信機である。デジタルテレビ受信機１１１は、電話回線あるいは家庭内ＬＡＮを介してインターネットと接続する機能を備えている。また、デジタルテレビ受信機１１１は、赤外線通信機能を有しており、赤外線通信機能を有する携帯電話１０１と通信を行うことが可能である。
【０００３】
デジタルテレビ受信機１１１において、例えば、「携帯電話機からデジタルテレビにＩＤ情報を送信すれば、この商品(例えば、コンテンツ情報)の割り引きクーポンがもらえます。」というようなコメントが表示されたＣＭがＢＭＬによって表示されているとする。クーポンを獲得しようとするユーザは、携帯電話１０１に予めダウンロードされているアプリを起動する。携帯電話１０１は、ＣＭ中のユーザ操作に基づいてアプリからＵＩＤ情報(ユーザ識別情報)を、赤外線通信機能によってデジタルテレビに送信する。デジタルテレビ１１１は、ＵＩＤを受信すると、ＢＭＬによる制御によって携帯電話１０１から受信したＵＩＤを当該ＣＭの識別情報であるＣＭＩＤと共にＢＭＬによって指定されているサーバ１０２に送信する。
【０００４】
サーバ１０２は、ＣＭＩＤおよびＵＩＤを受信すると、ＣＭＩＤおよびＵＩＤを含む、暗号化された固有の識別情報であるシリアルＩＤを生成する。サーバ１０２は、このシリアルＩＤをメールで該当する携帯電話１０１に送信する。サーバ１０２は、シリアルＩＤをＤＢ１０３に登録する。携帯電話１０１は、メールを受信すると、アプリによってメール中のシリアルＩＤを保存する。
【０００５】
携帯電話１０１のユーザは、商品を購入する際に、クーポン使用可能な店舗にシリアルＩＤを保存した携帯電話１０１を携帯して行く。携帯電話１０１は、ユーザによってアプリが起動されたと判断すると、赤外線通信機能を使用して店舗端末１１２にシリアルＩＤを送信する。店舗端末１１２は、シリアルＩＤを受信すると、店舗端末１１２からサーバ１０２にシリアルＩＤを送信する。サーバ１０２は、シリアルＩＤを受信すると、受信したシリアルＩＤがＤＢ１０３にあるか否かを判定する。サーバ１０２は、判定結果が肯定の場合にはクーポン使用可能であると判断し、否定の場合にはクーポン使用不可であると判断する。
【０００６】
サーバ１０２は、クーポン使用可能か否かという認証結果を店舗端末１１２に送信する。店舗端末１１２は、認証結果を表示する。店員はこの結果を見て、クーポン使用の可否を決定する。これにより、携帯電話１０１のユーザは、クーポンを用いて商品を獲得することが可能となる。
【０００７】
【特許文献１】特開２００５−３３３３９９
【発明の開示】
【発明が解決しようとする課題】
【０００８】
前述のコンテンツ情報提供システム１００には、次のような問題点がある。携帯電話１０１のユーザが、クーポンを獲得するにあたって元となった広告は、デジタルテレビ１１１に表示されたＣＭである。ここで、デジタルテレビ１１１に表示されるＣＭは、一般的なデジタル放送波を介して提供されるものである。つまり、万人、すなわちマスに対して平等に提供される広告である。よって、広告を提供する広告提供者からみれば、広告の対象者に個別に広告することができず、広告の訴求力が高くない、という問題点がある。
【０００９】
また、クーポンとして用いるシリアルＩＤは、クーポンを獲得したクーポン獲得者若しくは当該クーポン獲得者が使用する携帯電話１０１に固有のものではないため、あるクーポン獲得者が獲得したシリアルＩＤを第三者に携帯電話１０１等の機能を介して提供すると、本来のクーポン獲得者でない第三者がクーポンを獲得することができる、という問題点がある。このような第三者によるクーポン獲得は、マスを対象とした広告においては問題となるケースは少ない。しかし、個別広告においては、広告提供者は所定の者に対してのみ利益を供与することが可能であり、第三者による利益の取得が可能となれば、個別広告を行うメリットがなくなる、という問題点がある。
【００１０】
さらに、デジタルテレビ１１１は、単にデジタル放送におけるＣＭを獲得する装置として使用されているにすぎない、という問題点がある。
【００１１】
そこで、本発明は、ユーザに対する個別広告を可能としつつ、第三者の利益取得を防止するコンテンツ情報提供システムを提供することを目的とする。
【課題を解決するための手段】
【００１２】
本発明に関する課題を解決するための手段及び発明の効果を以下に示す。
【００１３】
（１）本発明に係るコンテンツ情報提供システムでは、前記通信端末は、自らを一意に特定する通信端末特定情報を記憶する通信端末特定情報記憶手段、前記コンテンツ情報提供装置に接続するための接続情報及びコンテンツ情報を特定するコンテンツ特定情報を有するコンテンツ提供情報を獲得するコンテンツ提供情報獲得手段、前記接続情報、前記コンテンツ特定情報、及び前記通信端末特定情報を第１のコンテンツ要求情報として、赤外線通信機能を介して前記テレビ受像装置へ提供する第１のコンテンツ要求情報提供手段、を有し、前記テレビ受像装置は、自らを一意に特定するテレビ受像装置特定情報を記憶するテレビ受像装置特定情報記憶手段、前記第１のコンテンツ要求情報を赤外線通信機能を介して獲得する第１のコンテンツ要求情報獲得手段、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する第２のコンテンツ要求情報提供手段、前記コンテンツ情報を獲得するコンテンツ情報獲得手段、獲得した前記コンテンツ情報を表示するコンテンツ情報表示手段、
を有し、前記コンテンツ情報提供装置は、前記第２のコンテンツ要求情報を獲得する第２のコンテンツ情報要求情報獲得手段、前記第２のコンテンツ要求情報が有する前記テレビ受像装置特定情報及び前記通信端末特定情報に基づいて、前記コンテンツ情報の提供の可否を判断するコンテンツ情報提供可否判断手段、前記第２のコンテンツ要求情報が有する前記コンテンツ特定情報に基づいて、対応する前記コンテンツ情報を獲得するコンテンツ情報獲得手段、前記コンテンツ情報の提供が可能である場合に、対応する前記コンテンツ情報を前記テレビ受像装置へ提供するコンテンツ情報提供手段を有している。
【００１４】
これにより、コンテンツ提供情報を獲得した通信端末のユーザは、所定のテレビ受像装置を用いた場合に、コンテンツ情報を提供を受けることができる。つまり、コンテンツ情報の提供者にとっては、所望の通信端末のユーザにコンテンツ情報を提供することができるので、ユーザに対して個別の利益供与を行うことが可能となる。また、コンテンツ情報はテレビ受像装置に表示するので、高画質・高詳細なコンテンツ情報を提供することができる。
【００１５】
（２）（８）（１３）本発明に係るコンテンツ情報提供装置、コンテンツ情報提供プログラム、若しくはコンテンツ情報提供方法では、前記テレビ受像装置を一意に特定し、コンテンツ情報の提供を要求する通信端末を一意に特定する通信端末特定情報、前記コンテンツ情報を一意に特定するコンテンツ特定情報を第２のコンテンツ要求情報として獲得し、前記第２のコンテンツ要求情報が有する前記テレビ受像装置特定情報及び前記通信端末特定情報に基づいて、前記コンテンツ情報の提供の可否を判断し、前記第２のコンテンツ要求情報が有する前記コンテンツ特定情報に基づいて、対応する前記コンテンツ情報を獲得し、前記コンテンツ情報の提供が可能である場合に、対応する前記コンテンツ情報を前記テレビ受像装置へ提供する。
【００１６】
これにより、通信端末のユーザが所定のテレビ受像装置を用いた場合に、コンテンツ情報を提供をすることができる。つまり、コンテンツ情報の提供者にとっては、所望の通信端末のユーザにコンテンツ情報を提供することができるので、ユーザに対して個別の利益供与を行うことが可能となる。また、コンテンツ情報はテレビ受像装置に表示するので、高画質・高詳細なコンテンツ情報を提供することができる。
【００１７】
（３）（９）（１４）本発明に係るコンテンツ情報提供装置、コンテンツ情報提供プログラム、若しくはコンテンツ情報提供方法では、前記テレビ受像装置を一意に特定するテレビ受像装置特定情報、コンテンツ情報の提供を要求する通信端末を一意に特定する通信端末特定情報、前記コンテンツ情報を一意に特定するコンテンツ特定情報を第２のコンテンツ要求情報として獲得し、前記第２のコンテンツ要求情報が有する前記テレビ受像装置特定情報及び前記通信端末特定情報に基づいて、前記コンテンツ情報の提供の可否を判断し、前記コンテンツ情報の提供が可能である場合に、前記第２のコンテンツ要求情報が有する前記コンテンツ特定情報に基づいて、対応する前記コンテンツ情報の表示を許可する許可情報を前記テレビ受像装置へ提供する。
【００１８】
これにより、通信端末のユーザが所定のテレビ受像装置を用いた場合に、コンテンツ情報を表示するための許可情報を提供をすることができる。つまり、コンテンツ情報の提供者にとっては、コンテンツ情報を通信以外の媒体によって提供し、一方で所望の通信端末のユーザに許可情報を提供することができるので、コンテンツ情報の大量提供とユーザに対する個別の利益供与とを同時に行うことが可能となる。また、コンテンツ情報はテレビ受像装置に表示するので、高画質・高詳細なコンテンツ情報を提供することができる。
【００１９】
（４）（１０）本発明に係るコンテンツ情報提供装置、コンテンツ情報提供プログラム、若しくはコンテンツ情報提供方法では、前記第２のコンテンツ要求情報が有する前記テレビ受像装置特定情報及び前記通信端末特定情報が、前記コンテンツ情報の提供が可能な前記テレビ受像装置と前記通信端末とが関連付けられている認証端末テーブルに登録されているか否かを判断することによって、前記コンテンツ情報の提供の可否を判断する。
【００２０】
これにより、予め認証端末テーブルを用意しておくだけで、第三者によるコンテンツ情報の獲得か否かを容易に判断することが可能となる。
【００２１】
（５）（１１）（１５）本発明に係るテレビ受像装置、コンテンツ情報表示プログラム、若しくはコンテンツ情報表示方法では、自らを一意に特定するテレビ受像装置特定情報を記憶し、コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得し、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供し、前記コンテンツ情報を獲得し、獲得した前記コンテンツ情報を表示する。
【００２２】
これにより、第１のコンテンツ要求情報を獲得するだけ、テレビ受像装置は、コンテンツ情報提供装置へ接続することができる。よって、テレビ受像装置にいて接続情報の入力等の煩雑な作業を省略することが可能となる。また、コンテンツ情報はテレビ受像装置に表示するので、高画質・高詳細なコンテンツ情報を表示することができる。
【００２３】
（６）（１２）（１６）本発明に係るテレビ受像装置、コンテンツ情報表示プログラム、若しくはコンテンツ情報表示方法では、自らを一意に特定するテレビ受像装置特定情報を記憶し、コンテンツ情報を提供するコンテンツ情報提供装置に接続するための接続情報、前記コンテンツ情報を特定するコンテンツ特定情報、及び前記通信端末を一意に特定する通信端末特定情報を第１のコンテンツ要求情報として獲得し、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供し、前記コンテンツ情報を獲得し、前記コンテンツ情報の表示を許可する許可情報を獲得し、前記許可情報に基づいて、前記コンテンツ情報を表示する。
【００２４】
これにより、第１のコンテンツ要求情報を獲得するだけ、テレビ受像装置は、コンテンツ情報提供装置へ接続することができる。よって、テレビ受像装置にいて接続情報の入力等の煩雑な作業を省略することが可能となる。また、コンテンツ情報を通信以外の媒体によって獲得し、一方で通信によって許可情報を獲得することができるので、コンテンツ情報の大量提供とユーザに対する個別の利益供与とを同時に行うことが可能となる。さらに、コンテンツ情報はテレビ受像装置に表示するので、高画質・高詳細なコンテンツ情報を表示することができる。
【００２５】
（７）本発明に係るテレビ受像装置、コンテンツ情報表示プログラム、若しくはコンテンツ情報表示方法では、赤外線通信機能を介して、前記第１のコンテンツ要求情報を獲得する。
【００２６】
これにより、赤外線通信機能を有する既存の通信端末及びテレビ受像装置を用いることが可能となる。
【００２７】
ここで、請求項に記載されている要素と実施例における要素との対応関係を示す。通信端末は携帯電話１１に、テレビ受像装置はテレビ受像装置１３に、コンテンツ情報提供装置はコンテンツ情報配信サーバ１７に、それぞれ該当する。
【００２８】
通信端末特定情報記憶手段はメモリ１１２に、コンテンツ提供情報獲得手段はＣＰＵ１１１及び携帯電話用通信制御回路１１７に、第１のコンテンツ要求情報提供手段はＣＰＵ１１１及び赤外線通信制御回路１１８に、それぞれ対応する。
【００２９】
また、テレビ受像装置特手情報記憶手段はＲＯＭ１３３に、第１のコンテンツ要求情報獲得手段は赤外線回路１３０及びＣＰＵ１１１に、第２のコンテンツ要求情報提供手段はＣＰＵ１３１、メモリ１３２及びデータ通信回路１３４に、コンテンツ情報獲得手段はＣＰＵ１３１及びデータ通信回路１３４に、コンテンツ情報表示手段はＣＰＵ１３１、メモリ１３２、画像処理回路１３７及びディスプレイ１３９に、それぞれ該当する。
【００３０】
さらに、第２のコンテンツ要求情報獲得手段はＣＰＵ１７１及び通信回路１７８に、コンテンツ情報提供可否判断手段はＣＰＵ１７１及びメモリ１７２に、コンテンツ情報獲得手段はＣＰＵ１７１及びハードディスク１７３に、コンテンツ情報提供手段は、ＣＰＵ１７１、メモリ１７２及び通信回路１７８に、それぞれ該当する。
【００３１】
コンテンツ提供情報獲得手段はステップＳ９１１の処理を、第１のコンテンツ要求情報提供手段はステップＳ９１３〜Ｓ９１７、Ｓ１００１〜Ｓ１０１７の処理を、それぞれ実行する。
【００３２】
また、第１のコンテンツ要求情報獲得手段はステップＳ１４０１の処理を、第２のコンテンツ要求情報提供手段はステップＳ１４０３〜Ｓ１４０９の処理を、コンテンツ情報獲得手段はステップＳ９３３の処理を、コンテンツ情報表示手段はステップＳ９３５の処理を、それぞれ実行する。
【００３３】
さらに、第２のコンテンツ要求情報獲得手段はステップＳ１５０１の処理を、コンテンツ情報提供可否判断手段はステップＳ１５０３〜Ｓ１５０７の処理を、コンテンツ情報獲得手段はステップＳ１５０９、Ｓ１５１１の処理を、コンテンツ情報提供手段はステップＳ１５１３の処理を、それぞれ実行する。
【００３４】
コンテンツ提供情報はコンテンツ提供可能通知メールに、接続情報はＵＲＬ情報に、コンテンツ特定情報はシリアル番号に、それぞれ対応する。
【００３５】
第１のコンテンツ要求情報は第１の組み合わせ情報に、通信端末特定情報は携帯電話端末ＩＤに、それぞれ対応する。
【００３６】
第２のコンテンツ要求情報は第２の組み合わせ情報に、テレビ受像装置特定情報はテレビ受像装置ＩＤに、それぞれ該当する。
【００３７】
認証端末テーブルは、認証端末ＤＢに対応する。
【発明を実施するための最良の形態】
【００３８】
本発明におけるコンテンツ情報提供システムの実施例を以下において説明する。
【実施例１】
【００３９】
1.  コンテンツ情報提供システムの機能
本発明に係るコンテンツ情報提供システムＭ１の機能を図１に示す機能ブロック図に基づき説明する。コンテンツ情報提供システムＭ１は、通信端末Ｍ３、テレビ受像装置Ｍ５及びコンテンツ情報提供装置Ｍ７を有している。
【００４０】
通信端末Ｍ３は、通信端末特定情報記憶手段ｍ３０１、コンテンツ提供情報獲得手段ｍ３０３、及び第１のコンテンツ要求情報提供手段ｍ３０５を有している。
【００４１】
通信端末特定情報記憶手段ｍ３０１は、自らを一意に特定する通信端末特定情報を記憶する。コンテンツ提供情報獲得手段ｍ３０３は、前記コンテンツ情報提供装置に接続するための接続情報及びコンテンツ情報を特定するコンテンツ特定情報を有するコンテンツ提供情報を獲得する。第１のコンテンツ要求情報提供手段ｍ３０５は、前記接続情報、前記コンテンツ特定情報、及び前記通信端末特定情報を第１のコンテンツ要求情報として、赤外線通信機能を介して前記テレビ受像装置へ提供する。
【００４２】
テレビ受像装置Ｍ５は、テレビ受像装置特定情報記憶手段ｍ５０１、第１のコンテンツ要求情報獲得手段ｍ５０３、第２のコンテンツ要求情報提供手段ｍ５０５、コンテンツ情報獲得手段ｍ５０７、及びコンテンツ情報表示手段ｍ５０９を有している。
【００４３】
テレビ受像装置特定情報記憶手段ｍ５０１は、自らを一意に特定するテレビ受像装置特定情報を記憶する。第１のコンテンツ要求情報獲得手段ｍ５０３は、前記第１のコンテンツ要求情報を赤外線通信機能を介して獲得する。第２のコンテンツ要求情報提供手段ｍ５０５は、前記テレビ受像装置特定情報と、前記第１のコンテンツ要求情報が有する前記コンテンツ特定情報及び前記通信端末特定情報と、を第２のコンテンツ要求情報として、前記第１のコンテンツ要求情報が有する前記接続情報に基づいて、前記コンテンツ情報提供装置へ提供する。コンテンツ情報獲得手段ｍ５０７は、前記コンテンツ情報を獲得する。コンテンツ情報表示手段ｍ５０９は、獲得した前記コンテンツ情報を表示する。
【００４４】
コンテンツ情報提供装置Ｍ７は、第２のコンテンツ情報要求情報獲得手段ｍ７０１、コンテンツ情報提供可否判断手段ｍ７０３、コンテンツ情報獲得手段ｍ７０５、及びコンテンツ情報提供手段ｍ７０７を有している。第２のコンテンツ情報要求情報獲得手段ｍ７０１は、前記第２のコンテンツ要求情報を獲得する。コンテンツ情報提供可否判断手段ｍ７０３は、前記第２のコンテンツ要求情報が有する前記テレビ受像装置特定情報及び前記通信端末特定情報に基づいて、前記コンテンツ情報の提供の可否を判断する。コンテンツ情報獲得手段ｍ７０５は、前記第２のコンテンツ要求情報が有する前記コンテンツ特定情報に基づいて、対応する前記コンテンツ情報を獲得する。コンテンツ情報提供手段ｍ７０７は、前記コンテンツ情報の提供が可能である場合に、対応する前記コンテンツ情報を前記テレビ受像装置へ提供する。
【００４５】
これにより、通信端末のユーザが所定のテレビ受像装置を用いた場合に、コンテンツ情報を提供をすることができる。つまり、コンテンツ情報の提供者にとっては、所望の通信端末のユーザにコンテンツ情報を提供することができるので、ユーザに対して個別の利益供与を行うことが可能となる。また、コンテンツ情報はテレビ受像装置に表示するので、高画質・高詳細なコンテンツ情報を提供することができる。
【００４６】
2.  ハードウェア構成
2.1.  コンテンツ情報提供システム１のハードウェア構成
コンテンツ情報提供システム１のハードウェア構成を図２を用いて説明する。コンテンツ情報提供システム１は、携帯電話１１、テレビ受像装置１３及びコンテンツ情報提供サーバ１７を有している。
【００４７】
携帯電話１１及びテレビ受像装置１３は、赤外線通信機能を有しており、当該機能を介して互いにデータの送受信が可能である。テレビ受像装置１３とコンテンツ情報提供サーバ１７は、無線若しくは優先ＬＡＮによって接続されており、互いにデータの送受信が可能である。
【００４８】
以下において、携帯電話１１、テレビ受像装置１３、及びコンテンツ情報提供サーバ１７のハードウェア構成を説明する。
【００４９】
2.2.  携帯電話１１のハードウェア構成
携帯電話１１のハードウェア構成を図３に基づいて説明する。携帯電話１１は、ＣＰＵ１１１、メモリ１１２、キーボード１１４、スピーカ１１５、ディスプレイ１１６、携帯電話通信制御回路１１７及び赤外線通信制御回路１１８を備えている。
【００５０】
ＣＰＵ１１１は、メモリ１１２に記録されているオペレーティング・システム（ＯＳ）、赤外線送受信アプリケーション、携帯電話アプリケーション等その他のアプリケーションに基づいた処理を行う。なお、携帯電話アプリケーションとしては、音声通話アプリケーション、ｗｅｂブラウザ等がある。赤外線送受信アプリケーションについては後述する。
【００５１】
メモリ１１２は、ＣＰＵ２１１に対して作業領域を提供する。また、メモリ１１２は、ＯＳ、赤外線送受信アプリケーション、携帯電話アプリケーション等のアプリケーション・プログラム、及び携帯電話を一意に特定する携帯電話ＩＤを記録保持している。
【００５２】
キーボード１１４は、外部からの命令を受け付ける。スピーカー１１５は、音声データを外部に出力する。ディスプレイ１１６は、テレビ放送やデータ放送、及びユーザーインターフェイス等の画像を表示する。
【００５３】
携帯電話通信制御回路１１７は、携帯電話通信回線を利用した電話及びデータの送受信を実現する。赤外線通信制御回路１１８は、他の通信機器と赤外線を用いたデータの送受信を実現する。
【００５４】
2.3.  テレビ受像装置１３のハードウェア構成
テレビ受像装置１３のハードウェア構成を図４に基づいて説明する。テレビ受像装置１３は、ＣＰＵ１３１、メモリ１３２、ＲＯＭ１３３、データ通信回路１３４、チューナ１３５、画像処理回路１３７、スピーカ１３８、及びディスプレイ１３９を有している。
【００５５】
ＣＰＵ１３１は、ＲＯＭ１３３に記録されているオペレーティング・システム（ＯＳ）、テレビ受像装置プログラム等その他のアプリケーションに基づき、各構成要素を制御し、所定の処理を行う。メモリ１３２は、書き換え可能に構成されており、ＣＰＵ１３１に作業領域を提供するとともに、一時的に情報を記録する。ＲＯＭ１３３は、ＯＳ、及びコンテンツ情報の要求処理や表示処理等を行うためのテレビ受像装置プログラム等のアプリケーション・プログラムを記録・保持している。
【００５６】
データ通信回路１３４は、双方向ネットワークを介して、携帯電話ＩＤやコンテンツ情報等のデータの送受信を行う。チューナ１３５は、トランスポートストリームを選択的に受信する。画像処理回路１３７は、チューナ１３５を介して受信したトランスポートストリームやデータ通信回路１３４を介して受信したコンテンツ情報等のデータに基づいて、音声データ及びテレビ画面情報を生成する。
【００５７】
スピーカ１３８は、画像処理回路１３７が生成した音声データに基づき音声を発生する。ディスプレイ１３９は、画像処理回路１３７が生成したテレビ画面情報に基づいた映像を表示する。
【００５８】
2.4.  コンテンツ情報提供サーバ１７のハードウェア構成
コンテンツ情報提供サーバ１７のハードウェア構成を図５に基づいて説明する。コンテンツ情報提供サーバ１７は、ＣＰＵ１７１、メモリ１７２、ハードディスク１７３及び通信回路１７８を備えている。また、コンテンツ情報提供サーバ１７には、キーボード１７４、マウス１７５、ディスプレイ１７６、ＣＤ−ＲＯＭドライブ１７７が接続されている。
【００５９】
ＣＰＵ１７１は、ハードディスク１７３に記録されているオペレーティング・システム（ＯＳ）、コンテンツ情報提供サーバプログラム等その他のアプリケーションに基づいた処理を行う。メモリ１７２は、ＣＰＵ１７１に対して作業領域を提供する。ハードディスク１７３は、オペレーティング・システム（ＯＳ）、コンテンツ情報提供サーバプログラム等その他のアプリケーション及び許諾情報等の各種データを記録保持する。なお、ハードディスク１７３に記録されているコンテンツ情報データベース（以下、コンテンツ情報ＤＢとする。）及び認証端末データベース（以下、認証端末ＤＢとする。）については後述する。通信回路１７８は、ネットワークに接続する通信回路を有しており、テレビ受像装置１３等の外部の通信機器とデータの送受信を行う。
【００６０】
キーボード１７４、マウス１７５は、外部からの命令を受け付ける。ディスプレイ１７６は、ユーザーインターフェイス等の画像を表示する。ＣＤ−ＲＯＭドライブ１７７は、コンテンツ情報配信サーバプログラムが記録されているＣＤ−ＲＯＭ１７９からコンテンツ情報提供サーバプログラム及び他のＣＤ−ＲＯＭからその他のアプリケーションのプログラムを読み取る等、ＣＤ−ＲＯＭからのデータの読み取りを行う。
【００６１】
3.  データ
コンテンツ情報提供サーバ１７が有するコンテンツ情報ＤＢ及び登録情報ＤＢを以下において説明する。
【００６２】
3.1.  コンテンツ情報ＤＢ
コンテンツ情報ＤＢとは、コンテンツ情報を一意に特定するコンテンツ情報ＩＤとコンテンツ情報の提供を受ける携帯電話１１のユーザに対応して付与するシリアル番号とが関連付けられて登録されている。
【００６３】
シリアル番号とは、コンテンツ情報を提供するコンテンツ情報提供者が、コンテンツ情報の提供を受ける被提供者に対して、コンテンツ情報を提供することを事前に知らせるコンテンツ情報獲得可能通知メールに含まれる番号であって、被提供者を特定する番号、被提供者が属する属性（性別、年代、趣味等）を特定する番号等をいう。
【００６４】
コンテンツ情報提供者は、被提供者に対応するシリアル番号を含むコンテンツ情報獲得可能通知メールを被提供者に提供することによって、被提供者毎に最適なコンテンツ情報を容易に提供することが可能となる。
【００６５】
コンテンツ情報ＤＢの一例を図６に示す。コンテンツ情報ＤＢは、［コンテンツ情報ＩＤ］列Ｃ６０１、［シリアル番号］列Ｃ６０３を有している。［コンテンツ情報ＩＤ］列Ｃ６０１には、コンテンツ情報ＩＤが記述される。［シリアル番号］列Ｃ６０３には、コンテンツ情報ＩＤ毎に、当該コンテンツ情報ＩＤに対応付けられた一又は複数のシリアル番号が記述される。
【００６６】
例えば、図６においては、コンテンツ情報ＩＤ「００１００」のコンテンツ情報は、シリアル番号「１１１１１１」〜「１１１１９９」を含むコンテンツ情報獲得可能通知メールを受け取ったユーザに対して提供されるものである場合、［コンテンツ情報ＩＤ］列Ｃ６０１に値「００１００」が、対応する［シリアル番号］列Ｃ６０３には値「１１１１１１」〜「１１１１９９」が、それぞれ記述される。
【００６７】
3.2.  認証端末ＤＢ
認証端末ＤＢとは、コンテンツ情報提供サーバ１７からコンテンツ情報を受信することが可能なテレビ受像装置１３と、当該テレビ受像装置１３を使用するユーザの携帯電話とが、関連付けて登録されたデータベースである。
【００６８】
認証端末ＤＢの一例を図７に示す。認証端末ＤＢは、［携帯電話端末ＩＤ］列Ｃ７０１及び［テレビ受像装置ＩＤ］列Ｃ７０３を有している。［携帯電話端末ＩＤ］列Ｃ７０１には、携帯電話１１を一意に特定する携帯電話端末ＩＤが記述される。［テレビ受像装置ＩＤ］列Ｃ７０３には、テレビ受像装置１３を一意に特定するテレビ受像装置ＩＤが記述される。
【００６９】
このように、携帯電話１１とテレビ受像装置１３とを関連づけて登録することによって、高画質・高詳細のコンテンツ情報を。所望の携帯電話１１のユーザに対して、提供することができる。また、第三者によるコンテンツ情報の取得を防止することができる。
【００７０】
4.  コンテンツ情報提供システム１の動作
コンテンツ情報提供システム１の動作の概要を図８を用いて説明する。携帯電話１１のＣＰＵ１１１は、メールサーバ等からコンテンツ情報獲得可能通知メールを獲得したか否かを判断する（Ｓ９１１）。コンテンツ情報獲得可能通知メールは、コンテンツ情報を獲得することができるという利益を得たことを、携帯電話１１にユーザに通知するための電子メールである。例えば、ある商品を購入したユーザに対して、プレミアムとしてコンテンツ情報を提供する場合が考えられる。この場合、商品の提供者（メーカー等）は、携帯電話１１のメールアドレスを事前にデータベースに登録してもらうことによって、コンテンツ情報獲得可能通知メールを所望のユーザに送信することが可能となる。
【００７１】
携帯電話１１のディスプレイ１１６（図３参照）に表示されたコンテンツ情報獲得可能通知メールの一例を図９に示す。コンテンツ情報獲得可能通知メールとは、コンテンツ情報の提供者が、当該ユーザはコンテンツ情報を獲得することが可能であることを、携帯電話１１のユーザに対して個別に知らせる電子メールである。コンテンツ情報獲得可能通知メールには、アクセス情報を有している。アクセス情報Ｉ１は、コンテンツ情報を獲得する際にアクセスする必要があるネットワーク上の位置を特定するＵＲＬ情報Ｉ３及びコンテンツ情報を特定するシリアル番号Ｉ５を有している。このように、コンテンツ情報獲得可能通知メールにシリアル番号を含めることによって、ユーザ毎に異なるコンテンツ情報を提供することが可能となる。また、提供するコンテンツ情報を容易に判別することが可能となる。
【００７２】
図８に戻って、携帯電話１１のＣＰＵ１１１は、メールサーバ等からコンテンツ情報獲得可能通知メールを獲得したと判断すると（Ｓ９１１）、電子メールアプリケーションを実行する（Ｓ９１３）。そして、ＣＰＵ１１１は、赤外線送受信アプリケーションを起動する（Ｓ９１５）。ＣＰＵ１１１は、赤外線送受信アプリケーションに基づいて、第１のコンテンツ情報要求処理を実行する（Ｓ９１７）。ＣＰＵ１１１は、第１のコンテンツ情報要求処理によって生成した第１の組み合わせ情報（後述）及びＵＲＬ情報をテレビ受像装置１３へ送信する。
【００７３】
テレビ受像装置１３のＣＰＵ１３１は、第１の組み合わせ情報及びＵＲＬ情報を受信したと判断すると、第２のコンテンツ情報要求処理を実行する（Ｓ９３１）。ＣＰＵ１３１は、第２のコンテンツ情報要求処理によって、第２の組み合わせ情報を生成し、ＵＲＬ情報とともにコンテンツ情報提供サーバ１７へ送信する。
【００７４】
コンテンツ情報提供サーバ１７のＣＰＵ１７１は、第２の組み合わせ情報を生成を獲得したと判断すると、コンテンツ情報提供処理を実行し（Ｓ９７１）、対応するコンテンツ情報をテレビ受像装置１３へ送信する。
【００７５】
テレビ受像装置１３のＣＰＵ１３１は、コンテンツ情報を獲得したと判断すると（Ｓ９３３）、対応するアプリケーションを実行し、コンテンツ情報をディスプレイ１３９に表示する（図４参照）。
【００７６】
以下において、携帯電話１１の第１のコンテンツ情報要求処理、テレビ受像装置１３の第２のコンテンツ情報要求処理、及びコンテンツ情報提供サーバ１７のコンテンツ情報提供信処理について説明する。
【００７７】
4.1.  第１のコンテンツ情報要求処理
携帯電話１１のＣＰＵ１１１が行う第１のコンテンツ情報要求処理について図１０に示すフローチャートを用いて説明する。ＣＰＵ１１１は、コンテンツ情報獲得可能通知メールからアクセス情報Ｉ１を抽出する（Ｓ１００１）。具体的には、ＣＰＵ１１１は、コンテンツ情報獲得可能通知メールから、「ｈｔｔｐ：／／」で始まる文字列を抽出する。
【００７８】
ＣＰＵ１１１は、抽出したアクセス情報Ｉ１をディスプレイ１３９上でハイライト表示する（Ｓ１００３）。アクセス情報Ｉ１がハイライト表示された状態を図１１に示す。
【００７９】
図１０に戻って、ＣＰＵ１１１は、ユーザによるキーボード１１４（図４参照）等の操作により、ハイライト表示が選択されたと判断すると（Ｓ１００５）、ポップアップウィンドウＰ１を表示する（Ｓ１００７）。ポップアップウィンドウＰ１が表示された状態を図１２に示す。ポップアップウィンドウＰ１は、ハイライト表示されたアクセス情報をテレビ受像装置１３へ赤外線通信回路を介して送信することを選択する項目「赤外線で送信」、及び、携帯電話１１のブラウザアプリケーションを用いてハイライト表示されたアクセス情報にアクセスする項目「ブラウザで表示」を有している。携帯電話１１のユーザは、キーボード１１４等の操作により「赤外線で送信」項目若しくは「ブラウザで表示」項目のいずれかを選択することができる。「赤外線で送信」項目が選択された状態を図１３に示す。
【００８０】
図１０に戻って、ＣＰＵ１１１は、「赤外線で送信」項目が選択されたと判断すると（Ｓ１００９）、アクセス情報Ｉ１からＵＲＬ情報Ｉ３及びシリアル番号Ｉ５を抽出する（Ｓ１０１１）。さらに、ＣＰＵ１１１は、メモリ１１２から携帯電話端末ＩＤを取得する（Ｓ１０１３）。ＣＰＵ１１１は、ステップＳ１０１１で抽出したシリアル番号及びステップＳ１０１１で取得した携帯電話端末ＩＤを用い、第１の組み合わせ情報を生成する（Ｓ１０１５）。なお、第１の組み合わせ情報を生成する際に、シリアル番号及び携帯電話端末ＩＤを用いたパリティビットを生成し、第１の組み合わせ情報に付加しておく。そして、ＣＰＵ１１１は、生成した第１の組み合わせ情報及びＵＲＬ情報I３を、赤外線通信制御回路１１８を介して、テレビ受像装置１３へ送信する（Ｓ１０１７）。
【００８１】
ＣＰＵ１１１は、ステップＳ１００９において「ブラウザで表示」項目が選択されたと判断すると、ブラウザアプリケーションを起動する（Ｓ１０２１）。そして、ＣＰＵ１１１は、赤外線送受信アプリケーションからブラウザアプリケーションへアクセス情報を提供する（Ｓ１０２３）。
【００８２】
4.2.  第２のコンテンツ情報要求処理
テレビ受像装置１３における第２のコンテンツ情報要求処理について図１４に示すフローチャートを用いて説明する。テレビ受像装置１３のＣＰＵ１３１は、第１の組み合わせ情報及びＵＲＬ情報I３を取得したと判断すると（１４０１）、第１の組み合わせ情報が正しいか否かを判断する（Ｓ１４０３）。具体的には、第１の組み合わせ情報に付加されたパリティビットを正誤を判断する。
【００８３】
ＣＰＵ１３１は、第１の組み合わせ情報が正しいと判断すると、メモリ１３２（図４参照）からテレビ受像装置ＩＤを取得する（Ｓ１４０５）。そして、ＣＰＵ１３１は、ステップＳ１４０１で取得した第１の組み合わせ情報及びステップＳ１４０５で取得したテレビ受像装置ＩＤを用いて、第２の組み合わせ情報を生成する（Ｓ１４０７）。第２の組み合わせ情報を生成する際に、第１の組み合わせ情報及びテレビ装置ＩＤを用いたパリティビットを生成し、第２の組み合わせ情報に付加しておく。ＣＰＵ１３１は、ステップＳ１４０１で取得したＵＲＬ情報I３に基づいて、第２の組み合わせ情報をコンテンツ情報提供サーバ１７へ送信する（Ｓ１４０９）。
【００８４】
ＣＰＵ１３１は、ステップＳ１４０３において、第１の組み合わせ情報が正しくないと判断すると、その旨をディスプレイ１３６へ表示し（Ｓ１４１１）、携帯電話１１のユーザに対して注意を喚起する。
【００８５】
4.3.  コンテンツ情報提供処理
次に、コンテンツ情報配信サーバ１７のＣＰＵ１７１が行うコンテンツ情報提供処理について図１５に示すフローチャートを用いて説明する。コンテンツ情報提供サーバ１７のＣＰＵ１７１は、第２の組み合わせ情報を受信したと判断すると（Ｓ１５０１）、第２の組み合わせ情報が正しいか否かを、第２の組み合わせ情報に付加されているパリティビットによって判断する（Ｓ１５０３）。
【００８６】
ＣＰＵ１７１は、第２の組み合わせ情報が正しいと判断すると、第２の組み合わせ情報から携帯電話端末ＩＤ、テレビ受像装置ＩＤ及びシリアル番号を抽出する（Ｓ１５０５）。ＣＰＵ１７１は、携帯電話端末ＩＤ及びテレビ受像装置ＩＤの組み合わせが認証端末ＤＢに登録されているか否かを判断する（Ｓ１５０７）。具体的には、ＣＰＵ１７１は、取得した携帯電話端末ＩＤの値を認証端末ＤＢの［携帯電話端末ＩＤ］列Ｃ７０１に有するレコードを抽出し、抽出したレコードの［テレビ受像装置ＩＤ］列Ｃ７０３の値に抽出したテレビ受像装置ＩＤの値を存在するか否かを判断する。
【００８７】
ＣＰＵ１７１は、携帯電話端末ＩＤ及びテレビ受像装置ＩＤの組み合わせが認証端末ＤＢに登録されていると判断すると、コンテンツ情報ＤＢから取得したシリアル番号に対応するコンテンツ情報ＩＤを取得する（Ｓ１５０９）。ＣＰＵ１７１は、取得したコンテンツ情報ＩＤに対応するコンテンツ情報をハードディスク１７３から取得し（Ｓ１５１１）、取得したコンテンツ情報をテレビ受像装置１３へ送信する（Ｓ１５１３）。なお、コンテンツ情報を送信する先であるテレビ受像装置１３のネットワーク上の位置を特定する情報であるＩＰアドレスについては、第２の組み合わせ情報を取得する際に取得可能である。
【００８８】
ＣＰＵ１７１は、ステップＳ１５０３において第１の組み合わせ情報が正しくないと判断した場合、及び、携帯電話端末ＩＤ及びテレビ受像装置ＩＤの組み合わせが認証端末ＤＢに登録されていないと判断した場合は、その旨をコンテンツ情報の要求者である携帯電話１１のユーザに対して注意を喚起する情報をテレビ受像装置１３へ送信する。テレビ受像装置１３のＣＰＵ１７１は、当該情報をディスプレイ１３６へ表示し、ユーザに対して注意を喚起する。
【００８９】
5.  具体例
5.1.  登録された携帯電話１１及びテレビ受像装置１３を用いる場合
最初に認証端末ＤＢに登録した携帯電話１１及びテレビ受像装置１３を用いて、コンテンツ情報の再提供を受けようとする場合を考える。このような場合は、携帯電話１１のユーザが一度提供を受けたコンテンツ情報について、後日、再度、登録した際のテレビ受像装置１３によってコンテンツ情報の提供を受けようとする場合がある。
【００９０】
上述の場合、コンテンツ情報提供サーバ１７が獲得する第２のコンテンツ情報要求状が有する携帯電話端末ＩＤ及びテレビ装置ＩＤは、認証端末ＤＢに最初に登録したものと同一である。よって、コンテンツ情報提供サーバ１７のＣＰＵ１７１は、図１４におけるステップＳ１５０７において、携帯電話端末ＩＤ及びテレビ受像装置ＩＤの組が認証端末ＤＢに登録されていると判断し、コンテンツ情報の提供を行う。
【００９１】
5.2.  いずれか一方が登録されていない携帯電話１１若しくはテレビ受像装置１３を用いる場合
次に、携帯電話１１若しくはテレビ受像装置１３のうち、いずれか一方が登録されていないものを用いて、コンテンツ情報の提供を受けようとする場合を考える。このような場合は、認証端末ＤＢに登録された携帯電話１１から登録されていない携帯電話１１’に、コンテンツ情報獲得可能通知メールを提供し、携帯電話１１’のユーザがコンテンツ情報の提供を受けようとする場合、認証端末ＤＢに登録された携帯電話１１のユーザが登録されたテレビ受像装置１３とは異なる第三者のテレビ受像装置１３’でコンテンツ情報の提供を受けようとする場合等、第三者によるコンテンツ情報の獲得の場面が考えられる。
【００９２】
上述の場合、コンテンツ情報提供サーバ１７が獲得する第２のコンテンツ情報要求状が有する携帯電話端末ＩＤ若しくはテレビ装置ＩＤのいずれかは、認証端末ＤＢに最初に登録した際のものとは異なる。よって、コンテンツ情報提供サーバ１７のＣＰＵ１７１は、図１４におけるステップＳ１５０７において、携帯電話端末ＩＤ及びテレビ受像装置ＩＤの組が認証端末ＤＢに登録されていないと判断し、コンテンツ情報の提供を行わない。
【００９３】
このように、第三者によるコンテンツ情報の獲得を防止することができるので、携帯電話１１のユーザだけに、個別にコンテンツ情報を提供することが可能となる。
【００９４】
［その他の実施例］
（１）ＵＲＬ情報及びシリアル番号の獲得
前述の実施例１においては、携帯電話１１のユーザに対してコンテンツ提供可能通知メールを送信することによって、コンテンツ情報提供サーバ１７のＵＲＬ情報及びコンテンツ情報を識別するシリアル番号を当該ユーザに知らせた。しかし、ＵＲＬ情報提供サーバに接続するための接続情報及びコンテンツ情報を識別することができるコンテンツ特定情報を、ユーザに提供できるものであれば例示のものに限定されない。例えば、接続情報及びコンテンツ特定情報を含んだ２次元バーコードを商品のパッケージ等に付すことによって、ユーザに当該情報を提供するようにしてもよい。この場合、携帯電話１１のユーザは、携帯電話１１に付随するカメラ機能を用いた２次元バーコード読み取り機能を用いて、商品に貼付された２次元バーコードを読み取り、接続情報及びコンテンツ特定情報を獲得すればよい。なお、２次元バーコードにＵＲＬ情報以外にシリアル番号を含ませるようにすることによって、当該商品の購買証明としての機能を実現することが可能となる。
【００９５】
また、２次元バーコードについては、商品に貼付されたもの以外に、テレビ放送の広告画面上に表示する場合、駅のポスター等に表示する場合等であってもよい。
【００９６】
さらに、携帯電話１１のブラウザ機能を用いてウェブサイトの接続情報であるＵＲＬ情報を獲得するようにしてもよい。この場合、ウェブサイトとして当該携帯電話１１のユーザ専用のサイト（いわゆるＭｙページ）を用いるようにすれば、当該ＭｙページのＵＲＬにコンテンツ特定情報であるシリアル番号を含ませることによって、携帯電話１１はＭｙページにアクセスするだけで、ＵＲＬ情報及びシリアル番号を獲得することができる。
【００９７】
また、ウェブサイトのソースに含まれるシリアル番号を獲得するようにしてもよい。この場合、ウェブサイトのソースにＸＭＬ等の記述言語を用いてシリアル番号やＵＲＬ情報を特定する所定のタグを設定しておき、ブラウザ機能によって当該ＵＲＬ情報やシリアル番号を獲得するようにすればよい。なお、所定のタグを認識する機能は、例えばプラグイン等を用いてブラウザ機能に持たせるようにすればよい。
【００９８】
さらに、携帯電話１１にいわゆるワンセグ放送受信機能を持たせることによって、ワンセグ放送のデータに含まれるＵＲＬ情報を獲得することも可能となる。例えば、ワンセグ放送の広告に対応するＵＲＬ情報をデータとして含ませておくことによって、当該広告に対応するＵＲＬ情報を獲得することが可能となる。
【００９９】
さらに、接続情報であるＵＲＬ情報及び／若しくはコンテンツ特定情報であるシリアル番号を獲得する方法としては、携帯電話１１にメモリカードリーダ機能を持たせ、対応するメモリカードからＵＲＬ情報やシリアル番号を獲得するようにしてもよい。
【０１００】
さらに、携帯電話１１にＩＣタグリーダ機能を持たせて、商品等付されたＩＣタグからＵＲＬ情報やシリアル番号を獲得するようにしてもよい。
【０１０１】
（２）第１の組み合わせ情報、第２の組み合わせ情報
前述の実施例１においては、シリアル番号及び携帯電話端末ＩＤに基づき第１の組み合わせ情報を生成し、テレビ受像装置１３に送信した。しかし、シリアル番号及び携帯電話端末ＩＤをテレビ受像装置１３に送信できるのであれば、例示のものに限定されない。例えば、両者を別々に送信するようにしてもよい。
【０１０２】
第２の組み合わせ情報についても同様である。
【０１０３】
（３）認証端末ＤＢの生成
前述の実施例１における認証端末ＤＢは、事前に携帯電話１１からテレビ受像装置１３を介した登録手続を、携帯電話１１のユーザに行ってもらうことによって、生成することができる。なお、登録手続については、一般的な携帯電話等を用いたデータベースに対する登録手続を用いればよい。
【０１０４】
また、前述の実施例１においては、認証端末ＤＢを用いてテレビ受像装置１３と、当該テレビ受像装置１３を使用するユーザの携帯電話との認証を行った。さらに、携帯電話１１と、当該携帯電話１１に対して送信したコンテンツ情報獲得可能通知メールに含まれるシリアル番号とを関連付けて登録したシリアル番号データベース用いて、携帯電話１１とコンテンツ情報獲得可能通知メールとの認証を行うようにしてもよい。これにより、コンテンツ情報獲得可能通知メールを第３者に転送した場合に、当該コンテンツ情報獲得可能通知メールを最初に送信した携帯電話１１の通信端末特定情報として、例えば、携帯電話１１のメールアドレスを使用する。携帯電話１１、テレビ受像装置１３及びコンテンツ情報提供サーバ１７は、前述の実施例１において携帯電話端末ＩＤに代えてメールアドレスを用いて、第１のコンテンツ情報要求処理、第２のコンテンツ情報要求処理、及びコンテンツ情報提供処理を行う。このように、携帯電話１１とコンテンツ情報獲得可能通知メールとの認証を行うことによって、当該コンテンツ情報獲得可能通知メールを送信した携帯電話１１からのアクセスであるか否かを判断することができる。つまり、他人からコンテンツ情報獲得可能通知メールを受け取った第３者による不正なコンテンツ情報の取得を防止することができる。
【０１０５】
（４）コンテンツ情報ＤＢ
前述の実施例１においては、コンテンツ情報提供サーバ１７のハードディスク１７３にコンテンツ情報ＤＢを設けたが、コンテンツ情報を獲得することができるのであれば、例示のものに限定されない。例えば、コンテンツ情報ＤＢをデータベースサーバとして、オンラインでコンテンツ情報提供サーバ１７と接続するようにしてもよい。
【０１０６】
また、前述の実施例１においては、テレビ受像装置１３は、コンテンツ情報をコンテンツ情報提供サーバ１７から獲得するようにした。しかし、テレビ受像装置１３がコンテンツ情報を獲得できるものであれば、例示のものに限定されない。例えば、ＤＶＤやハードディスク等の媒体を用いて、コンテンツ情報を獲得するようにしてもよい。この場合、当該媒体に含まれるコンテンツ情報に対して暗号化等の視聴制限処理を施しておき、テレビ受像装置１３は、許可情報として当該視聴制限を解除するための解除情報を、コンテンツ情報提供サーバ１７から獲得するようにすればよい。
【０１０７】
（５）携帯電話１１
前述の実施例１においては、携帯電話１１を用いてコンテンツ情報を獲得するものとしたが、通信端末特定情報を有し、接続情報及びコンテンツ特定情報を獲得でき、テレビ受像装置に対するデータの送信ができるものであれば、例示のものに限定されない。例えば、テレビ受像装置１３のリモコンであってもよい。
【０１０８】
通信端末としてテレビ受像装置１３のリモコン（以下、テレビリモコンとする。）を用いる場合、自らを一意に特定する通信端末特定情報を、テレビリモコンに予め付与しておけばよい。また、テレビリモコンが接続情報及びコンテンツ特定情報を獲得する方法としては、テレビリモコンにバーコードリーダ機能やメモリカードリーダ機能を持たせるようにすればよい。
【０１０９】
テレビリモコンにバーコードリーダ機能を持たせる場合、テレビ受像装置１３のディスプレイ１３６に表示されたバーコードをバーコードリーダ機能の一部であるカメラ機能を介して獲得することによって、当該バーコードに含まれている接続情報及びコンテンツ特定情報を獲得すればよい。なお、バーコードを獲得する対象としては、雑誌の広告等であってもよい。
【０１１０】
また、テレビリモコンにメモリカードリーダ機能を持たせる場合、接続情報及びコンテンツ特定情報を獲得できる他の装置（例えば、パソコン）を介してメモリカードに接続情報及びコンテンツ特定情報を記憶し、当該メモリカードをテレビリモコンの接続情報及びコンテンツ特定情報をメモリカードリーダ機能を介して獲得するようにすればよい。なお、接続情報及びコンテンツ特定情報を獲得できる他の装置としては、パソコンに限らず、携帯電話、携帯情報端末（ＰＤＡ）等であってもよい。
【０１１１】
このように、通信端末としてテレビリモコンを利用する場合、当該テレビリモコンのユーザによる登録操作によって認証端末ＤＢを生成する以外に、テレビ受像装置１３の製造・出荷段階で、予めテレビ受像装置１３と対応するテレビリモコンとを関連付けたデータベースを生成しておき、当該データベースを用いて認証端末ＤＢに登録するようにしてもよい。また、テレビ受像装置１３と対応するテレビリモコンとを関連付けたデータベースを用いて認証を行うようにしてもよい。この場合、認証端末ＤＢを用いなくてもよいという利点がある。
【０１１２】
なお、前述のテレビリモコンを用いる場合は、その他の通信端末を用いる場合にも適用可能である。
【０１１３】
（６）赤外線通信
前述の実施例１においては、携帯電話１１とテレビ受像装置１３との間のデータの送受信を赤外線通信を介して行うものとしたが、データの送受信を行うことができるのであれば、例示のものに限定されない。例えば、近距離、遠距離を問わず無線通信を利用するようにしてもよい。
【０１１４】
（７）コンテンツ提供可能通知メール
前述の実施例１においては、コンテンツ情報獲得可能通知メールとして図９に示すものを例示したが、ＵＲＬ情報及びシリアル番号を提供できるものであれば、例示のものに限定されない。例えば、コンテンツ情報獲得可能通知メールのヘッダにシリアル番号を含めるようにしてもよい。この場合、シリアル番号を識別するタグを予め設定しておき、携帯電話１１の携帯電話プログラムにおいて当該タグを識別するようにすればよい。また、ＵＲＬ情報をヘッダに含め、ＵＲＬ情報を特定するタグを設定しておくようにしてもよい。
【０１１５】
（８）フローチャートにおける処理の順番
前述の実施例１においては、図に示した各フローチャートに基づいて、各処理を実現するようにした。しかし、各処理を実現できるものであれば、各フローチャート内における処理の順番は例示のものに限定されない。
【図面の簡単な説明】
【０１１６】
【図１】本発明における実施例１に係るコンテンツ情報提供システムの機能ブロック図を示した図である。
【図２】コンテンツ情報提供システム１のハードウェア構成を示した図である。
【図３】図２における携帯電話１１のハードウェア構成を示した図である。
【図４】図２におけるテレビ受像装置１３のハードウェア構成を示した図である。
【図５】図２におけるコンテンツ情報提供サーバ１７のハードウェア構成を示した図である。
【図６】コンテンツ情報ＤＢの一例を示した図である。
【図７】認証端末ＤＢの一例を示した図である。
【図８】コンテンツ情報提供システム１の動作の概要を示したフローチャートである。
【図９】コンテンツ情報獲得可能通知メールを示した図である。
【図１０】第１のコンテンツ情報要求処理を示したフローチャートである。
【図１１】コンテンツ情報獲得可能通知メールを示した図である。
【図１２】コンテンツ情報獲得可能通知メールを示した図である。
【図１３】コンテンツ情報獲得可能通知メールを示した図である。
【図１４】第２のコンテンツ情報要求処理を示したフローチャートである。
【図１５】コンテンツ情報提供処理を示したフローチャートである。
【図１６】従来のコンテンツ情報提供システム１００を示した図である。
【符号の説明】
【０１１７】
１・・・・・コンテンツ情報提供システム
１１・・・・・携帯電話
１３・・・・・テレビ受像装置
１７・・・・・コンテンツ情報提供サーバ
【図１】
2008028925.tif 000003
【図２】
2008028925.tif 000004
【図３】
2008028925.tif 000005
【図４】
2008028925.tif 000006
【図５】
2008028925.tif 000007
【図６】
2008028925.tif 000008
【図７】
2008028925.tif 000009
【図８】
2008028925.tif 000010
【図９】
2008028925.tif 000011
【図１０】
2008028925.tif 000012
【図１１】
2008028925.tif 000013
【図１２】
2008028925.tif 000014
【図１３】
2008028925.tif 000015
【図１４】
2008028925.tif 000016
【図１５】
2008028925.tif 000017
【図１６】
2008028925.tif 000018